(57)【要約】【課題】  回転体の受入凹部に保持された遊技球の動きを活発にすることにより、演出効果を大きくすることができるパチンコ機を実現する。【解決手段】  回転体入賞装置２０のカバー３０に形成された開口部３３から受入れられた遊技球Ｐは、カバー３０の内側にて回転する回転体５０の外周面５１に支持され、開口部３３に停留した状態になる。回転体５０の受入凹部５３が開口部３３に達すると、遊技球Ｐは受入凹部５３内に落下して保持され、時計回りに運ばれる。受入凹部５３が斜め右下に達したとき、受入凹部５３は取付ベース６０から突出形成された突起部６３によって覆われるため、遊技球Ｐは受入凹部５３から離脱しない。そして、受入凹部５３が真下に達すると、遊技球Ｐは受入凹部５３からカバー３０の内周面３４へ移動する。【選択図】  図５
2008012026.tif 000002
【特許請求の範囲】
【請求項１】
遊技領域を流下する遊技球を受入れる開口部を周面に有する筒状のカバーと、
このカバーの内側に設けられており、外周面を前記カバーの内周面に対向させながら回転する回転体とを備えており、
前記回転体の外周面には、前記回転体が所定角度回転したときに前記開口部と連通し、前記開口部から遊技球を受入れる受入口と、その受入口に受入れられた遊技球を保持した状態で回転に伴って運ぶ受入凹部とが備えられたパチンコ機において、
前記受入凹部の底面と前記カバーの内周面との間に形成されており、前記受入凹部に保持されている遊技球が前記回転体の径方向へ移動可能な移動空間を備え、
前記受入凹部に保持されている遊技球の前記移動空間内における前記径方向への移動量を調整する調整手段を前記回転体とは別個に備えることを特徴とするパチンコ機。
【請求項２】
前記カバーを前記遊技領域に取付けるための取付ベースを備えており、
前記調整手段は、
前記移動空間内であって前記回転体が所定角度回転したときの前記移動空間内に配置されるように前記取付ベースから前方へ突出形成され、前記受入凹部に保持された遊技球の前記移動空間内における前記径方向への移動量を調整する突起部であることを特徴とする請求項１に記載のパチンコ機。
【請求項３】
前記調整手段は、
前記移動空間内であって前記回転体が所定角度回転したときの前記移動空間内に配置されるように前記カバーの内周面から前記移動空間内へ突出形成され、前記受入凹部に保持された遊技球の前記移動空間内における前記径方向への移動量を調整する突起部であることを特徴とする請求項１に記載のパチンコ機。
【発明の詳細な説明】
【技術分野】
【０００１】
この発明は、遊技領域を流下する遊技球を受入れて回転方向に運ぶ回転体を備えたパチンコ機に関する。
【背景技術】
【０００２】
従来、この種のパチンコ機として、いわゆる権利物と呼ばれるパチンコ機（第３種パチンコ機）が知られている。図９は、そのパチンコ機に備えられた遊技盤の正面説明図であり、図１０は、図９に示すパチンコ機に備えられた回転振分装置の正面拡大図である。遊技盤５００へ発射された遊技球が始動口５０１に入賞すると、図柄表示装置５０２が横方向に配列された３つの表示領域にて複数の図柄をそれぞれ変動表示する。そして、変動開始から所定時間経過すると各表示領域にて所定の図柄が停止し、各停止した図柄の組合せが特定の態様（例えば３３３など）に揃うと特別入賞口５０３が所定の開閉パターンで開閉する。特別入賞口５０３の内部には、Ｖ入賞口５０４が設けられており、そのＶ入賞口５０４に入賞すると、権利が発生する。
【０００３】
そして、遊技球を右打ちし、遊技球が回転振分装置６００に設けられた遊技球待機部６０４に停留すると、その遊技球は、常時回転している回転体６０１の周面に形成された凹部６０３に受入れられる。続いて、その遊技球は凹部６０３に保持され、回転体６０１を囲むカバー６０７によって凹部６０３からの離脱が阻止された状態になって回転体６０１によって運ばれ、回転体６０１の裏面側に設けられた第３種始動口６０２から流出すると、所定の検出スイッチにより検出され、可動翼片６０５，６０５が開放動作し、大入賞口６０６，６０６が開口する。大入賞口の開口から所定時間経過したという条件、大入賞口へ所定個数入賞したという条件のどちらかが満足されると可動翼片６０５，６０５が閉成動作し、大入賞口６０６，６０６が閉口する。大入賞口の開口から閉口までを１ラウンドとして所定数のラウンドを実行可能であり、所定数のラウンドが実行されると大当り遊技が終了する。また、大当り遊技中に図柄が特定の態様に揃い、Ｖ入賞口５０４に入賞した場合も大当り遊技が終了となる。
【０００４】
【特許文献１】特開２００２−３０１２１７号公報（第７９〜８１段落、図１、図２）
【発明の開示】
【発明が解決しようとする課題】
【０００５】
しかし、前述した従来のパチンコ機は、回転体６０１の凹部６０３に受入れられた遊技球は、回転体６０１によって運ばれる間、凹部６０３内で動くことがなく、回転に伴う重力の掛かり具合によって定まる位置（凹部６０３の底面か、カバー６０７の内周面に張り付いた位置のいずれか）しか採り得なかったため、演出効果が小さいという問題がある。
【０００６】
そこでこの発明は、上述の問題を解決するためになされたものであり、回転体の凹部に受入れられた遊技球の動きを活発にすることにより、演出効果を大きくすることができるパチンコ機を実現することを目的とする。
【課題を解決するための手段】
【０００７】
この発明は、上記目的を達成するため、請求項１に記載の発明では、遊技領域（８）を流下する遊技球（Ｐ）を受入れる開口部（３３）を周面に有する筒状のカバー（３０）と、このカバーの内側に設けられており、外周面（５１）を前記カバーの内周面（３４）に対向させながら回転する回転体（５０）とを備えており、前記回転体の外周面には、前記回転体が所定角度回転したときに前記開口部と連通し、前記開口部から遊技球を受入れる受入口（５２）と、その受入口に受入れられた遊技球を保持した状態で回転に伴って運ぶ受入凹部（５３）とが備えられたパチンコ機（１）において、前記受入凹部の底面（５３ａ）と前記カバーの内周面との間に形成されており、前記受入凹部に保持されている遊技球が前記回転体の径方向へ移動可能な移動空間（Ｓ）を備え、前記受入凹部に保持されている遊技球の前記移動空間内における前記径方向への移動量を前記回転体の回転に伴って調整する調整手段（６３，３５，３６，３７）を前記回転体とは別個に備えるという技術的手段を用いる。
【０００８】
回転体の受入凹部に保持された遊技球は、受入凹部の底面とカバーの内周面との間に形成された移動空間内で回転体の径方向へ移動可能になり、その移動量は、回転体の回転に伴って、回転体とは別個に備えられた調整手段によって調整される。
つまり、回転体の受入凹部に保持された遊技球は、回転体の回転に伴って運ばれるとともに、遊技者から見る時に移動幅の大きくなる回転体の径方向への移動が可能となるばかりでなく、その移動量が調整されるため、移動空間内で遊技球の保持位置が、従来のように回転に伴う重力の掛かり具合によって定まる位置ではなく、移動空間内ではあっても調整手段が遊技球に作用する位置というこれまでにない位置を取り得ることによって、回転によって遊技球が移動していく軌跡を大きく変化させることができる。
【０００９】
さらに、調整手段が遊技球に作用する位置を自由に選ぶことで、様々な軌跡を描かすことが可能となり、その遊技球の動きによって演出効果を大きくすることができる。そのため、従来では、受入凹部の底面とカバーの内周面との間を仮に遊技球数個分の深さにしたとしても、遊技球の取り得る位置は、受入凹部の底面かカバーの内周面に張り付いた位置のいずれかしか取り得なかったが、本願請求項１に係る発明によれば、重力に拘わらず、底面とカバー内周面の間の任意の位置を取り得て、しかも回転体の僅かな回転の進みによって大きく移動空間内を上下させることも可能となる。
【００１０】
請求項２に記載の発明では、請求項１に記載のパチンコ機（１）において、前記カバー（３０）を前記遊技領域（８）に取付けるための取付ベース（６０）を備えており、前記調整手段（６３，３５，３６，３７）は、前記移動空間（Ｓ）内であって前記回転体（５０）が所定角度回転したときの前記移動空間内に配置されるように前記取付ベースから前方へ突出形成され、前記受入凹部（５３）に保持された遊技球（Ｐ）の前記移動空間内における前記径方向への移動量を調整する突起部（６３）であるという技術的手段を用いる。
【００１１】
回転体の受入凹部に保持された遊技球が、受入凹部の底面とカバーの内周面との間に形成された移動空間内で回転体の径方向へ移動するときの移動量を調整する調整手段は、カバーを遊技領域に取付けるための取付ベースから前方へ突出形成された突起部であるため、取付ベースを製造するときに突起部を取付ベースと同時に形成することにより、調整手段を回転体入賞装置とは別個に製造する場合と比較して回転体入賞装置の製造コストを低減することができる。
例えば、取付ベースおよび突起部を樹脂製材料によって製造する場合は、取付ベースおよび突起部を一体成型することが容易であるため、回転体入賞装置の製造コストを低減することができる。
【００１２】
請求項３に記載の発明では、請求項１に記載のパチンコ機（１）において、前記調整手段（６３，３５，３６，３７）は、前記移動空間（Ｓ）内であって前記回転体（５０）が所定角度回転したときの前記移動空間内に配置されるように前記カバー（３０）の内周面（３４）から前記移動空間内へ突出形成され、前記受入凹部（５３）に保持された遊技球（Ｐ）の前記移動空間内における前記径方向への移動量を調整する突起部（３５，３６，３７）であるという技術的手段を用いる。
【００１３】
回転体の受入凹部に保持された遊技球が、受入凹部の底面とカバーの内周面との間に形成された移動空間内で回転体の径方向へ移動するときの移動量を調整する調整手段は、カバーの内周面から移動空間内へ突出形成された突起部であるため、カバーを製造するときに突起部をカバーと同時に形成することにより、調整手段を回転体入賞装置とは別個に製造する場合と比較して回転体入賞装置の製造コストを低減することができる。
例えば、カバーおよび突起部を樹脂製材料によって製造する場合は、カバーおよび突起部を一体成型することが容易であるため、回転体入賞装置の製造コストを低減することができる。
【００１４】
なお、上記の括弧内の符号は、後述する実施形態との対応関係を示すものである。
【発明を実施するための最良の形態】
【００１５】
＜第１実施形態＞
［全体の主要構成］
この発明の第１実施形態に係るパチンコ機の主要構成について図１を参照して説明する。図１は、そのパチンコ機の外観を正面から見た概略説明図である。
図１に示すように、パチンコ機１には、外殻を構成する前枠２が設けられており、その前枠２にはガラス枠３が開閉可能に取付けられている。ガラス枠３の内側には遊技盤５が設けられており、前枠２の前面右下方には、遊技盤５へ遊技球を発射する発射装置を操作する発射レバー４が回動可能に取付けられている。遊技盤５の下方には、払出された賞球や貸球を収容する上受け皿６が設けられており、上受け皿６の下方には、上受け皿６の収容可能数を超えて流下した賞球を収容する下受け皿７が設けられている。
【００１６】
［遊技盤の主要構成］
次に、遊技盤５の主要構成について図２を参照して説明する。図２は遊技盤５を正面から見た概略説明図である。
遊技盤５には、図柄表示装置９が配置されており、図柄表示装置９の下方には、始動口１０が配置されている。始動口１０の下方には、特別入賞口１７を開閉する開閉扉１６を有する電動役物１５が配置されている。図柄表示装置９の右方には、回転体入賞装置２０が配置されており、回転体入賞装置２０の下方には、大入賞口を開閉する大入賞口扉１９を備えた変動入賞装置１８が配置されている。
その他、遊技盤５には、入賞口１１、遊技球の流下方向を変化させるための風車１２、発射された遊技球を遊技盤５上の遊技領域へ案内する案内レール１３、どこにも入賞しなかった遊技球をアウト球として回収するアウト口１４などが設けられている。なお、図示しないが、遊技盤５の盤面には、多くの遊技釘が打ち込まれており、発射された遊技球は遊技釘に衝突することによって流下方向が変化する。
【００１７】
［回転体入賞装置２０の構成］
次に、回転体入賞装置２０の構成について図３ないし図５を参照して説明する。
図３は、回転体入賞装置２０の斜視図である。図４は、図３に示す回転体入賞装置２０を構成する取付ベースの斜視図である。図５（ａ）〜（ｅ）は、回転体によって運ばれる遊技球の動きを説明する説明図であり、（ｆ）は、移動空間の説明図である。
【００１８】
図３に示すように、回転体入賞装置２０は、カバー３０と、カバー３０の内部に回転可能に配置された回転体５０と、回転体５０を回転させるモータ８０と、カバー３０を遊技領域８に取付けるための取付ベース６０とを備える。カバー３０の周面３１には、遊技領域８を上方から流下してきた遊技球を受入れるための開口部３３が開口形成されている。開口部３３の間隔を規定する相対向する端部３２，３２間の幅は、遊技球をようやく１個受入れることができる大きさである。また、カバー３０は、後面が開口した円筒形状に形成されており、その周面に開口部３３が形成されている。この実施形態では、カバー３０は透明の合成樹脂により形成されており、内部の回転体５０が回転する様子や遊技球が保持されている状態などを外部から見ることができるようになっている。この実施形態では、回転体５０は時計回りに回転する。
【００１９】
回転体５０は、概略円柱形状に形成されており、その外周面５１には、カバー３０の開口部３３から落下する遊技球を受入れる受入口５２が開口形成されており、その受入口５２の下部には、受入口５２から回転中心に向けて窪んだ断面Ｕ字形状の受入凹部５３が形成されている。受入口５２は、遊技球をようやく１個受入れることができる大きさに形成されている。受入凹部５３は、遊技球をようやく１個保持できる大きさであって、保持された遊技球の頭部が受入口５２から突出しない大きさに形成されている。
【００２０】
図３および図５に示すように、回転体５０の外周面５１とカバー３０の内周面３４との間には、空間Ｓ１が形成されている。空間Ｓ１の間隔は、遊技球Ｐの直径よりも小さく形成されており、図５（ｄ）に示すように、受入凹部５３に保持されている遊技球Ｐが、受入凹部５３から移動し、カバー３０の内周面３４に接触した状態になっても、受入凹部５３から離脱した状態にはならず、遊技球Ｐの外面が受入凹部５３の受入口５２の端部に係止され、回転体５０の回転に伴って運ばれるように構成されている。
図５（ｆ）に示すように、受入凹部５３の底面５３ａとカバー３０の内周面３４との間には、受入凹部５３に保持された遊技球Ｐが移動可能な移動空間Ｓが形成されている。移動空間Ｓの間隔は、受入凹部５３の深さと空間Ｓ１の間隔とを合計した長さに設定されている。
【００２１】
図４に示すように、取付ベース６０には、回転体５０の受入凹部５３が斜め右下に達したときに、受入凹部５３に保持された遊技球が受入口５２からカバー３０の内周面３４の方向へ離脱しないようにするための突起部６３が配置されている。突起部６３は、取付ベース６０の前面から前方へ突出形成されており、縦断面が円弧状に形成されている。この実施形態では、取付ベース６０および突起部６３は合成樹脂によって一体形成されている。また、図５に示すように、突起部６３は、回転体５０の外周面５１の形状と相似形状に形成されている。
【００２２】
また、突起部６３の周方向の長さは、受入凹部５３の受入口５２を覆って塞ぐことができる長さであり、取付ベース６０の前面からの突出高さは、受入凹部５３から遊技球Ｐが離脱できない突出高さである。また、突起部６３は、凸面６３ａ（図４）をカバー３０の内周面３４に対向させており、凹面６３ｂを回転体５０の外周面５１に対向させている。突起部６３は、回転体入賞装置２０を正面から見た場合に回転体入賞装置２０の斜め右下（回転体５０の回転中心から見て時計の４時３０分の位置）にて、その凹面６３ｂを回転体５０の外周面５１に接近させた状態で配置されている。
【００２３】
また、取付ベース６０の正面から見て斜め左上（回転体５０の回転中心から見て時計の１０時３０分の位置）には、回転体５０の受入凹部５３によって運ばれた遊技球Ｐを遊技盤５の裏面へ流出させるための第３種始動口２１が前後方向に貫通形成されている。第３種始動口２１は、遊技球がようやく１個通過できる大きさに形成されている。また、第３種始動口２１に対応する遊技盤５には、第３種始動口２１を通過した遊技球を遊技盤５の裏面へ流出させる流出口（図示せず）が前後方向に貫通形成されている。
【００２４】
図５に示すように、第３種始動口２１は、受入凹部５３が描く軌跡上に形成されており、この実施形態では、受入凹部５３が斜め左上に到達したときに受入凹部５３と連通し、受入凹部５３に保持されている遊技球Ｐが第３種始動口２１から遊技盤５の裏面へ流出する。
【００２５】
カバー３０の後端は、取付ベース６０の前面に固定されており、図４に示すように、取付ベース６０には、モータ８０の回転シャフト（図示せず）を挿通する挿通孔６２が前後方向に貫通形成されている。その挿通孔６２から前方へ突出した回転シャフトは、回転体５０の後面に挿入固定されている。取付ベース６０の前面であって、挿通孔６２と第３種始動口２１との間には、突起部６４が前方へ突出形成されている。
【００２６】
この実施形態では、突起部６４は突起部６３と共に合成樹脂によって取付ベース６０と一体形成されている。図５（ｅ）に示すように、突起部６４は、回転体５０の受入凹部５３が斜め左上に達したときに、受入凹部５３に保持されている遊技球Ｐが受入凹部５３の底面５３ａに落ちないように規制することで、遊技球Ｐが第３種始動口２１の端部に引っ掛からないようにし、確実に第３種始動口２１へ流入させる役割をするものである。突起部６４の形状は任意であるが、この実施形態では、縦断面が円弧状に形成されており、凸面６４ａを外方に向け、凹面６４ｂを内方に向けて配置されている。
【００２７】
取付ベース６０の周囲には、取付ベース６０を遊技盤５の前面に固定するためのネジを挿通する複数のネジ挿通孔６１が前後方向に貫通形成されている。モータ８０の後部には、モータ８０を遊技盤５の裏面所定個所に固定するための固定部材８１が取付けられており、その固定部材８１には、固定部材８１を遊技盤５の裏面所定個所に固定するためのネジを挿通するネジ挿通孔８２が前後方向に貫通形成された固定片８３が形成されている。モータ８０は、遊技盤５の裏面側に固定され、その回転シャフトは、遊技盤５に挿通され、取付ベース６０の挿通孔６２を通って回転体５０の軸受３８に挿入固定される。
【００２８】
［遊技の流れおよび回転体入賞装置２０の動作］
回転体５０は、常時一定速度（例えば、１０秒で１回転）で時計回りに回転している。遊技領域８を流下する遊技球が始動口１０に入賞すると、図柄表示装置９が複数の表示領域（例えば、横方向に配列された３つの表示領域）にて複数の図柄をそれぞれ変動表示する。そして、変動開始から所定時間経過すると各表示領域にて所定の図柄が停止し、各停止した図柄の組合せが特定の態様（例えば３３３など）に揃うと電動役物１５が作動し、開閉扉１６が所定の開閉パターンで開閉する。そして、特別入賞口１７に入賞した遊技球が、特別入賞口１７の内部に配置されたＶ入賞口（図示せず）に入賞すると、権利が発生する。
【００２９】
そして、遊技球を右打ちし、遊技球がカバー３０の開口部３３から受入れられると、図５（ａ）に示すように、その遊技球Ｐの下部は、回転体５０の外周面５１に支持されるとともに、側部は、カバー３０の開口部３３の端部３２に当接した状態になり、開口部３３内に停留する。そして、図５（ｂ）に示すように、回転体５０の受入凹部５３がカバー３０の開口部３３と一致すると、開口部３３内に停留していた遊技球Ｐは、受入凹部５３の中に落ち、受入凹部５３に保持された状態で、回転体５０によって時計回りに運ばれる。そして、図５（ｃ）に示すように、受入凹部５３が斜め右下に到達すると、受入凹部５３に保持されている遊技球Ｐは、重力によって受入凹部５３から空間Ｓ内に離脱しようとするが、受入凹部５３の受入口５２は突起部６３によって塞がれているため、そのまま受入凹部５３に保持された状態を維持する。
【００３０】
そして、回転体５０の回転がさらに進み、図５（ｄ）に示すように、受入凹部５３が突起部６３によって塞がれた状態が解除され、受入凹部５３の受入口５２が空間Ｓ１に露出すると、受入凹部５３に保持されていた遊技球Ｐは、受入凹部５３から離脱し、空間Ｓ１へ移動し、カバー３０の内周面３４に当接する。つまり、受入凹部５３に保持されていた遊技球Ｐは、受入凹部５３が時計の１２時の位置から６時の位置へ半回転するまでは、受入凹部５３の移動軌跡と同じ移動軌跡で移動し、６時を過ぎたところで、受入凹部５３内の空間および空間Ｓ１によって形成される移動空間Ｓ内を、カバー３０の内周面３４に向けて回転体５０の径方向へ移動する。
【００３１】
そして、遊技球Ｐは、受入凹部５３が９時の位置を過ぎるまでは、カバー３０の内周面３４に当接した状態で移動し、回転体５０の受入凹部５３が第３種始動口２１と重なり始めると、重力によって受入凹部５３に戻る方向、つまり回転体５０の径方向の内方へ移動し、カバー３０の内周面３４から離反する。このとき、受入凹部５３の底面５３ａの近傍に突起部６４が配置された状態になるため、遊技球Ｐは、突起部６４によって底面５３ａに落下するのが阻止され、受入凹部５３の受入口５２から頭部を露出させた状態になる。
つまり、図５（ｅ）において太い矢印で示すように、受入凹部５３に保持された遊技球Ｐの重心は、受入れられたときから１／２回転は、受入凹部５３の中心が描く軌跡と同じ円形の軌跡を描き、続いて径方向の外方へ直線的に移動し、続く１／４回転は、最初の１／２回転のときの軌跡よりも大きい径の軌跡を描く。
【００３２】
以上のように、回転体５０の受入凹部５３に保持された遊技球Ｐは、回転体５０の回転に伴って、円弧状および直線状の移動軌跡を描いて移動するため、その動きによって演出効果を大きくすることができる。
なお、従来のパチンコ機では、回転体５０の外周面５１とカバー３０の内周面３４とが接近して配置されており、空間Ｓなるものが形成されていないため、受入凹部５３に保持された遊技球Ｐは、受入凹部５３内で移動することなく、単純な円形の移動軌跡を描くだけである。
【００３３】
そして、受入凹部５３と第３種始動口２１とが完全に重なると、受入凹部５３に保持されていた遊技球Ｐは、第３種始動口２１へ流入し、所定の検出スイッチ（始動口スイッチ）により検出され、変動入賞装置１８が作動し、大入賞口扉１９が開放され、大入賞口が開口する。大入賞口の開口から所定時間経過したという条件、大入賞口へ所定個数入賞したという条件のどちらかが満足されると大入賞口扉１９が閉成され、大入賞口が閉口する。大入賞口の開口から閉口までを１ラウンドとして所定数のラウンドを実行可能であり、所定数のラウンドが実行されると大当り遊技が終了する。また、大当り遊技中に図柄が特定の態様に揃い、Ｖ入賞口に入賞した場合も大当り遊技が終了となる。
【００３４】
［第１実施形態の効果］
（１）以上のように、上記第１実施形態のパチンコ機１を使用すれば、回転体５０の受入凹部５３に保持された遊技球Ｐは、受入凹部５３が遊技球Ｐを受入れてから１／２回転したときに、受入凹部５３の底面５３ａとカバー３０の内周面３４との間に形成された移動空間Ｓ内で回転体５０の径方向の外方へ直線的に移動するため、その動きによって演出効果を大きくすることができる。
【００３５】
（２）また、突起部６３は、取付ベース６０と同時に一体形成することができるため、突起部６３を取付ベース６０とは別個に製造する場合と比較して回転体入賞装置２０の製造コストを低減することができる。
【００３６】
＜第２実施形態＞
次に、この発明の第２実施形態について図６を参照して説明する。
この実施形態のパチンコ機は、カバーの内周面に突起部が形成されたことを特徴とする。図６は、第２実施形態の変更例に係るパチンコ機に備えられた回転体入賞装置２０の説明図であり、（ａ）はカバーの斜視図、（ｂ）は回転体入賞装置２０の正面図である。
【００３７】
図６（ａ）に示すように、この実施形態の回転体入賞装置２０を構成するカバー３０の内周面３４の右斜め下には、突起部３５がカバー３０と一体形成されている。突起部３５は、移動空間を構成する空間Ｓ１内へ突出形成されており、受入凹部５３が斜め右下に達したときに、受入凹部５３に保持されている遊技球Ｐが受入凹部５３から離脱するのを阻止する。突起部本体３５ａの内面３５ｂは、回転体５０の外周面５１と合致する形状に形成されている。突起部３５の径方向の厚さは、回転体５０の外周面５１とカバー３０の内周面３４との間に形成された空間Ｓ１と略同じ厚さであるが、突起部本体３５ａの内面３５ｂと回転体５０の外周面５１との間には、内面３５ｂと外周面５１との間で摩擦が発生しないようにするために僅かに隙間が形成されている。
【００３８】
また、突起部３５の周方向の長さおよび前後方向の厚さは、受入凹部５３の受入口５２を塞いだときに、受入凹部５３に保持されている遊技球Ｐが受入凹部５３から空間Ｓ１内へ離脱しない寸法に形成されている。
上記のように構成された突起部３５は、第１実施形態の突起部６３と同じ作用をするため、回転体５０の回転に伴い、受入凹部５３に保持された遊技球Ｐは、回転体５０の回転に伴って、図５（ｅ）において太い矢印で示した移動軌跡を描く。
【００３９】
以上のように、上記第２実施形態のパチンコ機を使用すれば、回転体５０の受入凹部５３に保持された遊技球Ｐは、受入凹部５３が遊技球Ｐを受入れてから１／２回転したときに、受入凹部５３の底面５３ａとカバー３０の内周面３４との間に形成された移動空間Ｓ内で回転体５０の径方向の外方へ直線的に移動するため、その動きによって演出効果を大きくすることができる。
また、突起部３５は、カバー３０と同時に一体形成することができるため、突起部３５をカバー３０とは別個に製造する場合と比較して回転体入賞装置２０の製造コストを低減することができる。
【００４０】
［第１変更例］
図７は、第２実施形態の第１変更例に係るパチンコ機に備えられた回転体入賞装置の説明図であり、（ａ）はカバーの斜視図、（ｂ）は回転体入賞装置の正面図である。
カバー３０の内周面３４には、４つの突起部３６が、移動空間を構成する空間Ｓ１内へそれぞれ突出形成されている。各突起部３６は、先端が尖った（鋭角の）突起部本体３６ａと、突起部本体３６ａの両側に形成された２つの凹部３６ｂとから構成される。各突起部本体３６ａの先端は、回転体５０の外周面５１に近接した高さであり、図７（ｂ）に示すように、突起部本体３６ａの先端が受入凹部５３の内部に向いたときに、受入凹部５３に保持されている遊技球Ｐが先端に当接し、受入凹部５３から離脱しないようになっている。
【００４１】
また、各凹部３６ｂは、その凹面を回転体５０の外周面５１とそれぞれ対向させており、突起部本体３６ａの先端と凹部３６ｂとが回転方向に交互に配置されている。受入凹部５３が凹部３６ｂと対向した状態になると、受入凹部５３の底面と凹部３６ｂの凹面との間に移動空間が形成される。
そして、図７（ｂ）に示すように、受入凹部５３と突起部本体３６ａの先端とが対向するときは、受入凹部５３に保持された遊技球Ｐは、受入凹部５３に保持された状態を維持し、遊技球Ｐの頭部が凹部３６ｂと接する段階になると、受入凹部５３に保持されている遊技球Ｐは、凹部３６ｂの凹面に沿って移動し、受入凹部５３から空間Ｓ１内へ移動する。遊技球Ｐの径方向外方への移動量は、遊技球Ｐの頭部が凹部３６ｂの凹面に沿って下り、凹面の底部中央に近づくにしたがって増加し、底部中央に達したときに最大になる。
【００４２】
そして、遊技球Ｐの径方向内方への移動量は、遊技球Ｐの頭部が凹部３６ｂの凹面の底部中央に沿って上り、突起部本体３６ａの先端に近づくにしたがって増加し、突起部本体３６ａの先端に達したときに最大になる。
つまり、図７（ｂ）に示すように、受入凹部５３に保持された遊技球Ｐは、突起部３６の凹部３６ｂに沿って転動し、回転体５０の径方向外方および内方への移動を繰り返す。換言すると、受入凹部５３に保持された遊技球Ｐは、回転体５０の回転に伴って運ばれ、カバー３０の内周面３４から移動空間内へ突出形成された突起部３６により、回転体５０の径方向への移動量を調整されながら移動空間内を移動する。
【００４３】
以上のように、上記第１変更例のパチンコ機を使用すれば、回転体５０の受入凹部５３に保持された遊技球Ｐは、回転体５０の回転に伴って、径方向への移動を活発に繰り返す。つまり、回転体５０の受入凹部５３に保持された遊技球Ｐは、遊技者から見る時に移動幅の大きくなる回転体５０の径方向への移動が可能となるばかりでなく、その移動量が突起部３６によって調整されるため、移動空間Ｓ内で遊技球Ｐの保持位置が、従来のように回転に伴う重力の掛かり具合によって定まる位置ではなく、移動空間Ｓ内ではあっても突起部３６が遊技球に作用する位置というこれまでにない位置を取り得ることによって、回転によって遊技球が移動していく軌跡を大きく変化させることができるため、演出効果を大きくすることができる。
【００４４】
また、突起部３６が遊技球Ｐに作用する位置を自由に選ぶことで、様々な軌跡を描かすことが可能となり、その遊技球の動きによって演出効果を大きくすることができる。そのため、従来では、受入凹部５３の底面５３ａとカバー３０の内周面３４との間を仮に遊技球数個分の深さにしたとしても、遊技球の取り得る位置は、底面５３ａか内周面３４に張り付いた位置のいずれかしか取り得なかったが、上記第１変更例によれば、重力に拘わらず、底面５３ａと内周面３４の間の任意の位置を取り得て、しかも僅かな回転の進みによって大きく移動空間内を上下させることも可能となる。
【００４５】
さらに、突起部３６は、カバー３０と同時に一体形成することができるため、突起部３６をカバー３０とは別個に製造する場合と比較して回転体入賞装置２０の製造コストを低減することができる。
なお、突起部３６の数は、１ないし３個または５個以上でもよい。また、突起部３６毎に突起部本体３６ａの先端の高さ、あるいは、凹部３６ｂの深さ、さらには形状を異ならせてもよい。
【００４６】
［第２変更例］
図８は、第２実施形態の第２変更例に係るパチンコ機に備えられた回転体入賞装置の説明図であり、（ａ）はカバーの斜視図、（ｂ）は回転体入賞装置の正面図である。
カバー３０の内周面３４には、２つの突起部３７が移動空間を構成する空間Ｓ１内へそれぞれ突出形成されている。各突起部３７は、先端が円弧状に膨出した突起部本体３７ａと、突起部本体３７ａの片側に形成された凹部３７ｂとから構成される。各突起部本体３７ａの先端の形状が円弧状であり、尖った形状の第１変更例とは異なり、滑らかであるため、受入凹部５３に保持された遊技球Ｐの径方向外方への移動から内方への移動、あるいは、径方向内方への移動から外方への移動は、それぞれ滑らかに行われる。
【００４７】
上記第２変更例のパチンコ機は、カバー３０の内周面３４に突出形成された突起部３７の形状以外は、第１変更例のパチンコ機と同じ構成および機能であるため、第１変更例と同じ効果を奏することができる。
なお、突起部３７の数は、１ないし３個または５個以上でもよい。また、突起部３７毎に突起部本体３７ａの先端の高さ、あるいは、凹部３７ｂの深さ、さらには形状を異ならせてもよい。
【００４８】
＜他の実施形態＞
（１）前述の各実施形態では、回転体５０の受入凹部５３の深さを、遊技球Ｐの直径と略同一に設定したため、受入凹部５３が突起部によって塞がれた場合、遊技球Ｐは径方向外方へ移動できなかったが、受入凹部５３の深さを遊技球Ｐの直径よりも大きく設定することにより、受入凹部５３が突起部によって塞がれた場合に遊技球Ｐが径方向外方へ移動するように構成することもできる。この構成によれば、受入凹部５３が突起部によって塞がれたときに受入凹部５３に保持されていた遊技球Ｐは、受入凹部５３から突起部に当接するまで直線的に移動し、その後、受入凹部５３が突起部によって塞がれた状態が解除されると、遊技球Ｐは受入凹部５３から離脱し、カバー３０の内周面３４に向けて直線的に移動する。つまり、突起部が遊技球Ｐの径方向への移動量を調整するように構成する。
このように受入凹部５３の深さを遊技球の直径よりも大きく設定すれば、受入凹部５３に保持されている遊技球Ｐを二段階で直線的に径方向へ移動させることができるため、遊技球Ｐの動きをより一層活発にすることができるので、その動きによる効果をより一層大きくすることができる。
【００４９】
（２）回転体５０の材質は合成樹脂など、特に限定されないが、ゴムなどの弾性部材によって形成することにより、回転体の外周面における遊技球の動きをより一層活発にすることができる。この場合、回転体全部を弾性部材によって形成してもよいし、外周面のみを弾性部材によって形成してもよい。
【００５０】
（３）回転体入賞装置２０を始動口１０に代えて配置することもできる。この場合、取付ベース６０に形成された第３種始動口２１が始動口１０の役割をする。また、この構成を採用する場合は、始動口１０に対応する遊技盤５に流出口を貫通形成し、始動口１０から流出した遊技球を遊技盤５の裏面に配置された検出スイッチの検出領域へ流下させるように構成する。
【００５１】
（４）前述の各実施形態では、この発明のパチンコ機として、権利物と呼ばれるパチンコ機を代表にして説明したが、遊技球が始動口に入賞すると、図柄表示装置が図柄の変動表示を開始し、図柄表示装置により大当り図柄が確定表示された場合に大当りが発生し、大入賞口を開閉する変動入賞装置が作動するパチンコ機において、始動口に代えて、回転体入賞装置２０を配置することもできる。
【図面の簡単な説明】
【００５２】
【図１】この発明の実施形態に係るパチンコ機の外観を正面から見た説明図である。
【図２】図１に示すパチンコ機に備えられた遊技盤５を正面から見た概略説明図である。
【図３】回転体入賞装置２０の斜視図である。
【図４】図３に示す回転体入賞装置２０を構成する取付ベースの斜視図である。
【図５】図５（ａ）〜（ｅ）は、回転体によって運ばれる遊技球の動きを説明する説明図であり、（ｆ）は、移動空間の説明図である。
【図６】第２実施形態の変更例に係るパチンコ機に備えられた回転体入賞装置２０の説明図であり、（ａ）はカバーの斜視図、（ｂ）は回転体入賞装置２０の正面図である。
【図７】第２実施形態の第１変更例に係るパチンコ機に備えられた回転体入賞装置の説明図であり、（ａ）はカバーの斜視図、（ｂ）は回転体入賞装置の正面図である。
【図８】第２実施形態の第２変更例に係るパチンコ機に備えられた回転体入賞装置の説明図であり、（ａ）はカバーの斜視図、（ｂ）は回転体入賞装置の正面図である。
【図９】従来のパチンコ機に備えられた遊技盤の正面説明図である。
【図１０】図９に示すパチンコ機に備えられた回転振分装置の正面拡大図である。
【符号の説明】
【００５３】
１・・パチンコ機、８・・遊技領域、２０・・回転体入賞装置２０、３０・・カバー、
３３・・開口部、３４・・内周面、３５，３６，３７・・突起部（調整手段）、
５０・・回転体、５１・・外周面、５２・・受入口、５３・・受入凹部、
６０・・取付ベース、６３・・突起部（調整手段）、Ｐ・・遊技球、Ｓ・・移動空間。
【図１】
2008012026.tif 000003
【図２】
2008012026.tif 000004
【図３】
2008012026.tif 000005
【図４】
2008012026.tif 000006
【図５】
2008012026.tif 000007
【図６】
2008012026.tif 000008
【図７】
2008012026.tif 000009
【図８】
2008012026.tif 000010
【図９】
2008012026.tif 000011
【図１０】
2008012026.tif 000012